(57)【要約】      （修正有）【課題】複数の搬送波及び搬送ダイバーシチの一方または両方を利用した通信システムにおけるチャネルインタリーバ用デマルチプレクサを提供する。【解決手段】デマルチプレクサ４０２は、連続するデータビットを連続して搬送アンテナへ分配する分配モジュール、分配モジュールに接続されるスイッチングモジュールを含む。分配モジュールは、先行するデータビットと同じアンテナにデータビットが送信されないようにデータビットを各アンテナへ送信する。スイッチングモジュールは分配モジュールを制御し、所定数のデータビットが送信される度に、１回アンテナをスキップする。または、所定数のデータビットが送信される度に、１回アンテナをリピートするようにしてもよい。また、各搬送アンテナは異なる搬送周波数帯でもよい。【選択図】図５
2011072001.tif 000002
【特許請求の範囲】
【請求項１】
複数のデータ要素を複数の場所へ連続して分配する分配モジュールと、
前記分配モジュールと接続され、所定数のデータ要素が分配された後、前記分配モジュールを制御して１つの場所をバイパスするスイッチングモジュールと、
を具備するチャネルインタリーバ用デマルチプレクサであって、各データ要素は先行するデータ要素が分配された場所と異なる場所に分配されるチャネルインタリーバ用デマルチプレクサ。
【請求項２】
前記データ要素の前記所定数は、前記複数のデータ要素の半分と等しい請求項１記載のチャネルインタリーバ用デマルチプレクサ。
【請求項３】
前記データ要素の前記所定数は、前記複数のデータ要素の３分の１と等しい請求項１記載のチャネルインタリーバ用デマルチプレクサ。
【請求項４】
前記データ要素の前記所定数は、前記複数のデータ要素の４分の１と等しい請求項１記載のチャネルインタリーバ用デマルチプレクサ。
【請求項５】
複数のデータ要素を複数の場所へ連続して分配し、所定数のデータ要素が分配された後、１つの場所をバイパスするチャネルインタリーバ用デマルチプレクサであって、各データ要素は先行するデータ要素が分配された場所と異なる場所に分配されるチャネルインタリーバ用デマルチプレクサ。
【請求項６】
チャネル符号器と、
前記チャネル符号器と接続されたチャネルインタリーバと、
複数のデータ要素を複数の場所へ連続して分配し、所定数のデータ要素が分配された後、１つの場所をバイパスするデマルチプレクサと、
を具備し、各データ要素は先行するデータ要素が分配された場所と異なる場所に分配されるデジタル無線通信システムの送信部。
【請求項７】
前記複数の場所は複数のアンテナからなる請求項６記載のデジタル無線通信システムの送信部。
【請求項８】
前記複数の場所は複数の搬送波からなる請求項６記載のデジタル無線通信システムの送信部。
【請求項９】
前記チャネルインタリーバは反転ビットチャネルインタリーバからなる請求項６記載のデジタル無線通信システムの送信部。
【請求項１０】
前記デマルチプレクサと接続された拡散モジュールをさらに具備する請求項６記載のデジタル無線通信システムの送信部。
【請求項１１】
前記拡散モジュールは直交拡散モジュールからなり、前記デジタル無線通信システムは符号分割多元アクセス無線インターフェースに沿って形成される請求項１１記載のデジタル無線通信システムの送信部。
【請求項１２】
前記デマルチプレクサに接続され、第１及び第２の擬似ランダム雑音コードと共にデータ要素を拡散し、複素数Ｉ，Ｑ信号を生成する複素数スプレッダをさらに具備する請求項１０記載のデジタル無線通信システムの送信部。
【請求項１３】
各データ要素が先行するデータ要素が送信された場所と異なる場所に送信されるように連続するデータ要素を連続する複数の場所に送信する工程と、
所定数のデータ要素が送信された後、１つの場所を１回バイパスする工程と、
を具備するデータ要素を逆多重化する方法。
【請求項１４】
前記送信する工程に先立ち前記データ要素はフレームに分割され、各フレームは複数のデータ要素からなり、データ要素の前記所定数は前記フレームの半分と等しい請求項１３記載の要素を逆多重化する方法。
【請求項１５】
前記送信する工程に先立ち前記データ要素はフレームに分割され、各フレームは複数のデータ要素からなり、データ要素の前記所定数は前記フレームの３分１と等しい請求項１３記載の要素を逆多重化する方法。
【請求項１６】
前記送信する工程に先立ち前記データ要素はフレームに分割され、各フレームは複数のデータ要素からなり、前記データ要素の前記所定数は前記フレームの４分１と等しい請求項１３記載の要素を逆多重化する方法。
【請求項１７】
反転ビットインタリーバされたデータ要素を受信する第１の工程をさらに具備する請求項１３記載の要素を逆多重化する方法。
【請求項１８】
各データ要素が先行するデータ要素が送信された場所と異なる場所に送信されるように、連続する前記データ要素を連続した複数の場所に送信する手段と、
所定数のデータ要素が送信される度に、１つの場所を１回バイパスする手段と、
を具備するチャネルインタリーバ用デマルチプレクサ。
【請求項１９】
前記送信に先立ち、前記データ要素はフレームに分割され、各フレームは複数のデータ要素からなり、データ要素の前記所定数は前記フレームの半分と等しい請求項１８記載のチャネルインタリーバ用デマルチプレクサ。
【請求項２０】
前記送信に先立ち、前記データ要素はフレームに分割され、各フレームは複数のデータ要素からなり、データ要素の前記所定数は前記フレームの３分の１と等しい請求項１８記載のチャネルインタリーバ用デマルチプレクサ。
【請求項２１】
前記送信に先立ち、前記データ要素はフレームに分割され、各フレームは複数のデータ要素からなり、データ要素の前記所定数は前記フレームの４分の１と等しい請求項１８記載のチャネルインタリーバ用デマルチプレクサ。
【請求項２２】
前記送信する手段はスイッチからなる請求項１８記載のチャネルインタリーバ用デマルチプレクサ。
【請求項２３】
ビット反転インタリーバされたデータ要素を受信する手段をさらに具備する請求項１８記載のチャネルインタリーバ用デマルチプレクサ。
【請求項２４】
複数のデータ要素を複数の場所へ連続して分配する分配モジュールと、
前記分配モジュールと接続され、所定数のデータ要素が分配された後、前記分配モジュールを制御して１つの場所をリピートするスイッチングモジュールと、
を具備するチャネルインタリーバ用デマルチプレクサであって、各データ要素は先行するデータ要素が分配された場所と異なる場所に分配されるチャネルインタリーバ用デマルチプレクサ。
【請求項２５】
前記データ要素の前記所定数は、前記複数のデータ要素の半分と等しい請求項２４記載のチャネルインタリーバ用デマルチプレクサ。
【請求項２６】
前記データ要素の前記所定数は、前記複数のデータ要素の３分の１と等しい請求項２４記載のチャネルインタリーバ用デマルチプレクサ。
【請求項２７】
前記データ要素の前記所定数は、前記複数のデータ要素の４分の１と等しい請求項２４記載のチャネルインタリーバ用デマルチプレクサ。
【請求項２８】
複数のデータ要素を複数の場所へ連続して分配し、所定数のデータ要素が分配された後、１つの場所をリピートするチャネルインタリーバ用デマルチプレクサであって、各データ要素は先行するデータ要素が分配された場所と異なる場所に分配されるチャネルインタリーバ用デマルチプレクサ。
【請求項２９】
チャネル符号器と、
前記チャネル符号器と接続されたチャネルインタリーバと、
複数のデータ要素を複数の場所へ連続して分配し、所定数のデータ要素が分配された後、１つの場所をリピートするデマルチプレクサと、
を具備し、各データ要素は先行するデータ要素が分配された場所と異なる場所に分配されるデジタル無線通信システムの送信部。
【請求項３０】
前記複数の場所は複数のアンテナからなる請求項２９記載のデジタル無線通信システムの送信部。
【請求項３１】
前記複数の場所は複数の搬送波からなる請求項２９記載のデジタル無線通信システムの送信部。
前記チャネルインタリーバは反転ビットチャネルインタリーバからなる請求項２９記載のデジタル無線通信システムの送信部。
【請求項３２】
前記チャネルインタリーバは反転ビットチャネルインタリーバからなる請求項２９記載のデジタル無線通信システムの送信部。
【請求項３３】
前記デマルチプレクサと接続された拡散モジュールをさらに具備する請求項２９記載のデジタル無線通信システムの送信部。
【請求項３４】
前記拡散モジュールは直交拡散モジュールからなり、前記デジタル無線通信システムは符号分割多元アクセス無線インターフェースに沿って形成される請求項３３記載のデジタル無線通信システムの送信部。
【請求項３５】
前記デマルチプレクサに接続され、第１及び第２の擬似ランダム雑音コードとともにデータ要素を拡散し、複素数Ｉ，Ｑ信号を生成する複素数スプレッダをさらに具備する請求項３４記載のデジタル無線通信システムの送信部。
【請求項３６】
各データ要素が先行するデータ要素が送信された場所と異なる場所に送信されるように連続するデータ要素を連続する複数の場所に送信する工程と、
所定数のデータ要素が送信された後、１つの場所を１回リピートする工程と、
を具備するデータ要素を逆多重化する方法。
【請求項３７】
前記送信する工程に先立ち前記データ要素はフレームに分割され、各フレームは複数のデータ要素からなり、前記データ要素の前記所定数は前記フレームの半分と等しい請求項３６記載の要素を逆多重化する方法。
【請求項３８】
前記送信する工程に先立ち前記データ要素はフレームに分割され、各フレームは複数のデータ要素からなり、前記データ要素の前記所定数は前記フレームの３分１と等しい請求項３６記載の要素を逆多重化する方法。
【請求項３９】
前記送信する工程に先立ち前記データ要素はフレームに分割され、各フレームは複数のデータ要素からなり、前記データ要素の前記所定数は前記フレームの４分１と等しい請求項３６記載の要素を逆多重化する方法。
【請求項４０】
反転ビットインタリーバされたデータ要素を受信する第１の工程をさらに具備する請求項３６記載の要素を逆多重化する方法。
【請求項４１】
各データ要素が先行するデータ要素が送信された場所と異なる場所に送信されるように、連続する前記データ要素を連続した複数の場所に送信する手段と、
所定数のデータ要素が送信される度に、１つの場所を１回リピートする手段と、
を具備するチャネルインタリーバ用デマルチプレクサ。
【請求項４２】
前記送信に先立ち、前記データ要素はフレームに分割され、各フレームは複数のデータ要素からなり、データ要素の前記所定数は前記フレームの半分と等しい請求項４１記載のチャネルインタリーバ用デマルチプレクサ。
【請求項４３】
前記送信に先立ち、前記データ要素はフレームに分割され、各フレームは複数のデータ要素からなり、データ要素の前記所定数は前記フレームの３分の１と等しい請求項４１記載のチャネルインタリーバ用デマルチプレクサ。
【請求項４４】
前記送信に先立ち、前記データ要素はフレームに分割され、各フレームは複数の前記データ要素からなり、データ要素の前記所定数は前記フレームの４分の１と等しい請求項４１記載のチャネルインタリーバ用デマルチプレクサ。
【請求項４５】
前記送信する手段はスイッチからなる請求項４１記載のチャネルインタリーバ用デマルチプレクサ。
【請求項４６】
ビット反転インタリーバされたデータ要素を受信する手段をさらに具備する請求項４１記載のチャネルインタリーバ用デマルチプレクサ。
【発明の詳細な説明】
【技術分野】
【０００１】
本発明は、広く通信システムの分野に関し、さらに詳しくは通信システムにおいて、複数の搬送波及び送信ダイバーシチの両方またはいずれか一方を用いてチャネルをインタリーバするための逆多重化(demultiplex)に関する。
【背景技術】
【０００２】
通信システムは、チャネルインタリーバと共にチャネル符号化を多用する。チャネルインタリーバは、フェージングチャネルでの通信に際し、特に重要である。インタリーバは、一般に、データ素子すなわちビットを記憶するためのビット位置の行列として構成されている。ビットは、インタリーバに行ごとに書き込まれ、インタリーバより列ごとに読み出される。インタリーバは符号化のプロセスの間、生成されたビットを配列し直す。インタリーバの特に有用な形態が、反転ビット（bit-reversal）インタリーバである。この反転ビットインタリーバはインタリーブのプロセスの一部として行を再配置し、これにより、隣接して書き込まれたビット間における時間分離（time separation）を最大にする。
【０００３】
チャネルインタリーバの主要な目的は、フェージングチャネルで得られるダイバーシチ利得を最大にすることである。例えば１つの搬送波（すなわち１つの周波数帯）及び１つのアンテナを使用したような単数チャネルの通信システムにおいて、ダイバーシチは、インタリーブ後に連続して送信されたビットを時間分離し、これにより搬送されたビット間の減縮された相関関係を生成することにより達成される。従来の、畳み込み符号を成分符号として使う畳み込み符号器（convolutional coder）または多数成分符号器(multiple-component coder)（すなわちターボコーダ）がチャネル符号器として用いられる場合、相互に近接するビットは、複数のエラーが発生する原因となりやすい。反転ビットインタリーバは、反転ビットインタリーブの後、任意の２ビット間の距離がインタリーブ前の２ビット間の距離に反比例するので、特に効果的である。
【０００４】
例として、６列６４行の行列により構成された３８４ビットのインタリーバを考える。データ要素、すなわちビットはインタリーバ行列に列ごとに書き込まれる。送信に先立ち、ビットは、行インデックスのビットが反転された順番に従って行ごとに読み出される。例としてあげたインタリーバ行列は、以下のように示される。
【数１】
2011072001.tif 000003
【０００５】
送信の際、第０行が最初に送られ、第３２行が続き、次に第１６行・・・が送信される。例えば要素１、６５、１２９、１９３、２６７、３２１を有する第１行は、第３２行として送信される。したがって、０ビットと１ビットは他の１９１のビットにより分離される。ビット０〜６は以下に示す位置で送信される。すなわち、ビット０は０で、ビット１は１９２で、ビット２は９６で、ビット３は２８８で、ビット４は４８で、ビット５は２４０で、ビット６は１４４で送信される。当業者によれば、インタリービングの後、任意の隣接するビットは最低９６ビット分離され、１つのビットにより分離された任意の２ビット自身も最低４８ビット分離されることが理解される。この結果、ビット反転インタリーバは、例えばフェージングチャネルで通信する無線通信において、広く使用される。
【０００６】
しかしながら、従来の反転ビットインタリーバの手法は、アンテナダイバーシチまたは複数の搬送波（周波数帯）が使用されるようなシステムにおいて、ダイバーシチ利得を得る場合、あまり効果的ではない。例えば、アンテナダイバーシチが使用される場合、送信されるビットは２つのビットストリームに分割され、このビットストリームが２つのアンテナよりそれぞれ送信される。このような分割を行う際、通常の方法は、偶数ビットを最初のアンテナ（アンテナ１）に送り、奇数ビットを２番目のアンテナ（アンテナ２）に送ることである。しかしながら、上述した例において見られるように、最初の７つのビットは全て偶数ビットであり、このため、アンテナ１より送信される。したがって、上記方法での受信性能が低下する。すなわち、受信側の復号プロセスにおいて、これらのビットは、異なるアンテナにより送信された場合より、複数のエラーを起こしやすくなる。したがって、アンテナダイバーシチの特長を完全に生かしきれない。
【０００７】
複数の搬送波を使用する無線通信システムにおいても、同様の解析が行われる。このようなシステムにおいて、ビットは２つの異なるアンテナではなく、２つ以上の周波数が異なるモジュレータに送られる。このため、送信器ダイバーシチ及び複数の搬送波の両方またはいずれか一方を使用する通信システムにおいて、チャネルインタリーバの性能を向上させ、ダイバーシチ利得を得られる装置が必要とされる。
【発明の概要】
【０００８】
本発明は、搬送器ダイバーシチ及び／または複数搬送波を使用する通信システムにおいて、チャネルインタリーバの性能を向上させ、ダイバーシチ利得を得られる装置を実現することを目的とする。本発明の観点によれば、複数のデータ要素を複数の場所へ連続して分配する分配モジュールと、前記分配モジュールと接続され、所定数のデータ要素が分配された後、前記分配モジュールを制御して１つの場所をバイパスするスイッチングモジュールと、を具備するチャネルインタリーバ用デマルチプレクサであって、各データ要素は先行するデータ要素が分配された場所と異なる場所に分配されるチャネルインタリーバ用デマルチプレクサを提供できる。
【０００９】
本発明の別の観点によれば、複数のデータ要素を複数の場所へ連続して分配し、所定数のデータ要素が分配された後、１つの場所をバイパスするチャネルインタリーバ用デマルチプレクサであって、各データ要素は先行するデータ要素が分配された場所と異なる場所に分配されるチャネルインタリーバ用デマルチプレクサを提供できる。
【００１０】
本発明の別の観点によれば、チャネル符号器と、前記チャネル符号器と接続されたチャネルインタリーバと、複数のデータ要素を複数の場所へ連続して分配し、所定数のデータ要素が分配された後、１つの場所をバイパスするデマルチプレクサと、を具備し、各データ要素は先行するデータ要素が分配された場所と異なる場所に分配されるデジタル無線通信システムの送信部を提供できる。
【００１１】
本発明の別の観点によれば、各データ要素が先行するデータ要素が送信された場所と異なる場所に送信されるように連続するデータ要素を連続する複数の場所に送信する工程と、所定数のデータ要素が送信された後、１つの場所を１回バイパスする工程と、を具備するデータ要素を逆多重化する方法を提供できる。
【００１２】
本発明の別の観点によれば、各データ要素が先行するデータ要素が送信された場所と異なる場所に送信されるように、連続する前記データ要素を連続した複数の場所に送信する手段と、所定数のデータ要素が送信される度に、１つの場所を１回バイパスする手段と、を具備するチャネルインタリーバ用デマルチプレクサを提供できる。
【００１３】
本発明の別の観点によれば、複数のデータ要素を複数の場所へ連続して分配する分配モジュールと、前記分配モジュールと接続され、所定数のデータ要素が分配された後、前記分配モジュールを制御して１つの場所をリピートするスイッチングモジュールと、を具備するチャネルインタリーバ用デマルチプレクサであって、各データ要素は先行するデータ要素が分配された場所と異なる場所に分配されるチャネルインタリーバ用デマルチプレクサを提供できる。
【００１４】
本発明の別の観点によれば、複数のデータ要素を複数の場所へ連続して分配し、所定数のデータ要素が分配された後、１つの場所をリピートするチャネルインタリーバ用デマルチプレクサであって、各データ要素は先行するデータ要素が分配された場所と異なる場所に分配されるチャネルインタリーバ用デマルチプレクサを提供できる。
【００１５】
本発明の別の観点によれば、チャネル符号器と、前記チャネル符号器と接続されたチャネルインタリーバと、複数のデータ要素を複数の場所へ連続して分配し、所定数のデータ要素が分配された後、１つの場所をリピートするデマルチプレクサと、を具備し、各データ要素は先行するデータ要素が分配された場所と異なる場所に分配されるデジタル無線通信システムの送信部を提供できる。
【００１６】
本発明の別の観点によれば、各データ要素が先行するデータ要素が送信された場所と異なる場所に送信されるように連続するデータ要素を連続する複数の場所に送信する工程と、所定数のデータ要素が送信された後、１つの場所を１回リピートする工程と、を具備するデータ要素を逆多重化する方法を提供できる。
【００１７】
本発明の別の観点によれば、各データ要素が先行するデータ要素が送信された場所と異なる場所に送信されるように、連続する前記データ要素を連続した複数の場所に送信する手段と、所定数のデータ要素が送信される度に、１つの場所を１回リピートする手段と、を具備するチャネルインタリーバ用デマルチプレクサを提供できる。
【図面の簡単な説明】
【００１８】
【図１】通信システムの送信部のブロック図。
【図２】単一のアンテナ、単一の搬送波を用いた通信システムにおいて、チャネルインタリーバと共に使用される従来のデマルチプレクサのブロック図。
【図３】送信アンテナダイバーシチを用いた通信システム用の従来のデマルチプレクサのブロック図。
【図４】複数の搬送波を用いた通信システム用の従来のデマルチプレクサのブロック図。
【図５】送信アンテナダイバーシチを用いた通信システム用のデマルチプレクサのブロック図。
【図６】複数の搬送波を用いた通信システム用のデマルチプレクサのブロック図。
【図７Ａ】送信アンテナダイバーシチを用いた通信システム用のデマルチプレクサの概略図。
【図７Ｂ】図７Ａのデマルチプレクサのタイミング図。
【図８Ａ】複数の搬送波を用いた通信システム用のデマルチプレクサの概略図。
【図８Ｂ】図８Ａのデマルチプレクサのタイミング図。
【図９】複素数Ｉ，Ｑ信号を生成するための擬似ランダム雑音スプレッダの概略図。
【発明を実施するための形態】
【００１９】
図１に示す実施形態によれば、通信システム（図示せず）の送信部１０は、チャネル符号器１２、チャネルインタリーバ１４、拡散モジュール(spreading module)１６、デマルチプレクサ１８、第１，第２の複素数(complex)Ｉ，Ｑスプレッダ２０，２２、第１，第２のアップコンバータ２４，２６、第１，第２の送信アンテナ２８，３０を含んでいる。データビットは連続するフレームでチャネル符号器１２に入力され、このチャネル符号器１２は、例えば畳み込み符号化またはターボ符号化のような従来の符号化技術に従い、このデータビットを符号化する。
【００２０】
チャネル符号器１２は、チャネルインタリーバ１４と接続されており、チャネルインタリーバ１４にデータシンボルを供給する。チャネルインタリーバ１４は行列状に構成されたブロックインタリーバ１４でもよい。データシンボルは、インタリーバ１４に行ごとに書き込まれ、インタリーバ１４より列ごとに読み出される。インタリーバ１４は、反転ビット法を使用するように形成され、これにより、独立した行アドレスがインタリーバ１４内で再配置または再編成される。反転ビット技術により、インタリーバ１４は隣接する入力シンボルをインタリーブし、最大に時間分離された出力シンボルを生成する。
【００２１】
チャネルインタリーバ１４は拡散モジュール１６と接続され、インタリーブされたデータシンボルを拡散モジュール１６に供給する。また、拡散モジュール１６は拡散符号を受信するように形成される。拡散モジュール１６は、直交拡散符号を受信する直交拡散モジュール１６でもよい。この場合、通信システムは、後述するように、符号分割多元アクセス無線インターフェース（code division multiple access over-the-air interface）である。拡散モジュール１６は、受信した拡散符号と共に、データシンボルを拡散し、データチップ群を生成する。このデータチップ群はデータシンボルを表す。Ｍ系列直交拡散が行われる場合、Ｍ＝２ｍ、すなわちＭ＝１６、３２、６４、１２８、である。
【００２２】
拡散モジュール１６はデマルチプレクサ１８に接続され、デマルチプレクサ１８にデータチップを供給する。デマルチプレクサ１８は、このチップを逆多重化し、チップのストリームを第１，第２のチップストリームに分割または分解し、第１，第２の複素数Ｉ，Ｑスプレッダ２０，２２にそれぞれ分配または送信する。データシンボルを表す各データチップ群は、後述するように複素数Ｉ，Ｑスプレッダ２０，２２に交互に分配される。さらに、後に詳しく示すように、デマルチプレクサ１８内のスイッチングロジック（図示せず）は、任意のフレームのデータシンボルが所定数分配される度に、１回、複素数Ｉ，Ｑスプレッダ２０，２２をスキップし、またはバイパスさせるよう機能する。また別に、後に詳しく示すように、スイッチングロジックは、任意のフレームのデータシンボルが所定数分配される度に、複素数Ｉ，Ｑスプレッダ２０，２２をリピートするようにすることもできる。図１に示す実施形態では、デマルチプレクサ１８によりフレームのシンボルの半分が送られた後、スイッチングロジックはデマルチプレクサ１８を制御し、複素数Ｉ，Ｑスプレッダ２０，２２をバイパスする。この結果、例えば、フレームの中間点において、シンボルの分割が反転され、複素数Ｉ，Ｑスプレッダ２０は２つのデータチップ群（各グループはデータシンボルを表す）を連続して受信し、もう一方の複素数Ｉ，Ｑスプレッダ２２は、データシンボルを表すデータチップ群１つに対し、バイパスまたはリピートされる。フレームの中間点の後、上記したように、交互に入れ替わる方法で分配が続けられる。
【００２３】
別の実施形態では、デマルチプレクサ１８は３つのデータ経路に沿って、データチップ群を送信するように形成され、スイッチングロジックはフレームのシンボルの３分の１が送信される度に、１回、１つのデータ経路をバイパス（または、リピート）するように形成される。また、さらに別の実施形態では、デマルチプレクサ１８は３つのデータ経路に沿って、データチップ群を送信するように形成され、スイッチングロジックはフレームのシンボルの４分の１が送信される度に、１回、１つのデータ経路をバイパス（または、スキップ）するように形成される。よって、シンボルの最初の４分の１が送信されたのと同じ方法で、シンボルの最後の４分の１が送信される。当業者によれば、デマルチプレクサ１８からのデータ経路数と、スキップまたはリピートされる回数のいずれもが、設計された物理的及び時間的な規則以外から制限されないことは理解される。さらに、所定数のデータ要素がデマルチプレクサ１８により処理された後、特定のデータ経路（すなわち、特定のアンテナまたは搬送周波数帯）への送信を制御によってバイパスまたはリピートすることは、データ要素という言葉がデータシンボル（すなわち、物理的には１つのビットだが、複数のデータビットを表す）または、データチップ群（すなわち、物理的には複数のビットだが、１つのデータシンボルを表す）を表していることと共に、当業者によれば理解される。
【００２４】
また、デマルチプレクサ１８はチャネルインタリーバ１４に直接接続可能であることは、当業者によれば理解される。この場合、第１，第２の拡散モジュールは、デマルチプレクサ１８の出力データ経路に直接接続される。
【００２５】
図１に示す第１の実施形態では、第１の複素数Ｉ，Ｑスプレッダ２０は、擬似ランダム拡散符号を受信する。第１の複素数Ｉ，Ｑスプレッダ２０は、擬似ランダム拡散符号を受け、受信したデータチップから複素数Ｉ，Ｑ信号を生成する。同様に、第２の複素数Ｉ，Ｑスプレッダ２２は、擬似ランダム雑音拡散符号を受信するように形成される。第２の複素数Ｉ，Ｑスプレッダ２２は、擬似ランダム拡散符号を受け、受信したデータチップから複素数Ｉ，Ｑ信号を生成する。
【００２６】
第１，第２の複素数Ｉ，Ｑスプレッダ２０，２２は第１，第２のアップコンバータ２４，２６にそれぞれ接続される。第１，第２の複素数Ｉ，Ｑスプレッダ２０，２２は複素数Ｉ，Ｑスプレッダ２０，２２を第１，第２のアップコンバータ２４，２６にそれぞれ供給する。第１，第２のアップコンバータ２４，２６はそれぞれ第１，第２のアンテナ２８，３０に接続される。アップコンバータ２４，２６は、信号を例えば携帯電話システムにおいては８００ＭＨｚ、ＰＣＳシステムにおいては１９００ＭＨｚの適当な搬送周波数にアップコンバートしたり、信号を無線ＲＦ送信用のアナログ形式へと変換したりする。
【００２７】
２つのアンテナ２８，３０はアンテナダイバーシチをもたらすために使用される。または、アンテナ２８，３０はそれぞれの信号を異なる搬送周波数域へとアップコンバートするよう形成されたアップコンバータにも接続可能である。他の実施形態では、３つの搬送周波数を供給するために３つのアンテナが使用される。また、他の実施形態では、ダイバーシチ及び多数搬送波の利点をもたらすように複数のアンテナを使用してもよい。
【００２８】
電気通信工業会（Telecommunications Industry Association）は、無線インターフェース規格であるＴＩＡ／ＥＩＡ内部規格９５（ＩＳ−９５）、及びこの派生された形態である例えばＩＳ−９５Ｂ（以下、これらをＩＳ−９５と総称する）を制定し、このＩＳ−９５により、符号分割多元アクセス（ＣＤＭＡ）デジタル無線通信システムが定義される。このＩＳ−９５を基準とした規格を使用することに沿って無線周波数（ＲＦ）信号を処理するシステム及び方法は、U.S.Patent No.5,103,459に記載されており、この出願は本願の譲受人に譲渡され、全て本願に組み込まれている。図１の実施形態において、通信システムは、例えば携帯電話またはＰＣＳ電話システムのような、ＩＳ−９５を基準とした規格に沿ったデジタル無線通信システムである。
【００２９】
図２において、従来のデマルチプレクサ１００は、１つの送信アンテナ及び１つの搬送波を使用した通信システム（図示せず）用に形成されている。このデマルチプレクサ１８は、１つのＸ入力を受信し、２つのＹ出力、詳しくはＹＩ出力とＹＱ出力、を出力する。
【００３０】
図３において、２つのアンテナ、スペクトル拡散、デジタル無線通信システム用の従来のデマルチプレクサ２００は、第１のデマルチプレクサ２０２、第２，第３のデマルチプレクサ２０４，２０６、４つのシンボルリピータ２０８，２１０，２１２，２１４を含んでいる。第１のデマルチプレクサ２０２は、Ｘ入力においてデータシンボルを受信する。第１のデマルチプレクサ２０２は、データシンボルを逆多重化し、ＹＩ出力を介し第２のデマルチプレクサ２０４へ偶数のシンボルを供給し、ＹＱ出力を介し第３のデマルチプレクサ２０６へ奇数のシンボルを供給する。第２，第３のデマルチプレクサ２０４，２０６はシンボルを受信し、逆多重化する。第２のデマルチプレクサ２０４は、第１のシンボルストリームをシンボルリピータ２０８へ供給し、第２のシンボルストリームをシンボルリピータ２１０へ供給する。第３のデマルチプレクサ２０６は、第１のシンボルストリームをシンボルリピータ２１２へ供給し、第２のシンボルストリームをシンボルリピータ２１４へ供給する。各第１，第３のシンボルリピータ２０８，２１２は、受信した入力シンボルそれぞれに対し２つの同一の出力シンボルを生成する。各第２，第４のシンボルリピータ２１０，２１４は、受信したシンボルそれぞれに対し１つの出力シンボル及びこれと相補なシンボルを生成する。シンボルリピータ２０８はＹＩ１出力を生成し、シンボルリピータ２１０はＹＩ２を生成し、シンボルリピータ２１２はＹＱ１出力を生成し、シンボルリピータ２１４はＹＱ２出力を生成する。よって、Ｘ入力において連続して受信された４つのシンボルに対して、第１のシンボルはＩシンボルとして第１のアンテナから送信され、第２のシンボルはＩシンボルとして第２のアンテナより送信され、第３のシンボルはＱシンボルとして第１アンテナより送信され、第４のシンボルはＱシンボルとして第２のアンテナより送信される。この方法が反転ビットチャネルインタリーバと共に使用されると、上述したように、デマルチプレクサ２００は２つのアンテナを使用したシステムにおいて、直交送信ダイバーシチを最大にすることができない。
【００３１】
図４において、３つの搬送波、スペクトル拡散、デジタル無線通信システム用の従来のデマルチプレクサ３００は、第１のデマルチプレクサ３０２、第２のデマルチプレクサ３０４を有している。第１のデマルチプレクサ３０２はＸ入力においてデータシンボルを受信する。第１のデマルチプレクサ３０２は受信したシンボルを逆多重化し、ＹＩ出力を介し第２のデマルチプレクサ３０４へ偶数のシンボルを供給し、ＹＱ出力を介し第２のデマルチプレクサ３０４へ奇数のシンボルを供給する。第２のデマルチプレクサ３０２は２つの入力シンボルストリームを受信、逆多重化し、出力ＹＩ１，ＹＱ１，ＹＩ２，ＹＱ２，ＹＩ３，ＹＱ３から６つの出力シンボルストリームを出力する。よって、Ｘ入力において連続して受信された６つのシンボルに対して、第１のシンボルは第１の搬送周波数にてＩシンボルとして送信され、第２のシンボルは第１の搬送周波数にてＱシンボルとしてとして送信され、第３のシンボルは第２の搬送周波数においてＩシンボルとして送信され、第４のシンボルは第２のアンテナからＱシンボルとして送信され、第５のシンボルは第３の搬送周波数にてＩシンボルとして送信され、第６のシンボルは第３の搬送周波数にてＱシンボルとして送信される。反転ビットチャネルインタリーバと共に使用されると、上述したように、デマルチプレクサ３００は３つの搬送波を使用したシステムにおいて、ダイバーシチ利得を最大にすることができない。
【００３２】
図５に示す実施形態によれば、２つのアンテナ、スペクトル拡散、デジタル無線通信システム用のデマルチプレクサ４００には、スイッチングロジック（図示せず）が付加されたデマルチプレクサ４０２、及び４つのシンボルリピータ４０４，４０６，４０８，４１０を含んでいる。デマルチプレクサ４０２は、４つのシンボルリピータ４０４，４０６，４０８，４１０と接続されている。デマルチプレクサ４０２は、Ｘ入力においてデータシンボルを受信し、受信したシンボルを４つの方法で逆多重化し、４つの出力シンボルストリームを生成する。Ｘ入力にて受信した各４つのシンボルの最初のシンボルにより構成される第１の出力シンボルストリームは第１のシンボルリピータ４０４へ供給される。Ｘ入力にて受信した各４つのシンボルの２番目のシンボルにより構成される第２の出力シンボルストリームは第２のシンボルリピータ４０６へ供給される。Ｘ入力にて受信した各４つのシンボルの３番目のシンボルにより構成される第３の出力シンボルストリームは第３のシンボルリピータ４０８へ供給される。Ｘ入力にて受信した各４つのシンボルの４番目のシンボルにより構成される第４の出力シンボルストリームは第４のシンボルリピータ４１０へ供給される。各第１，第２のシンボルリピータ４０４，４０６は受信した各入力シンボルに対し２つの同一の出力シンボルを生成する。各第３，第４のシンボルリピータ４０８，４１０は受信した各シンボルに対し１つの出力シンボル及びこれと相補なシンボルを生成する。
【００３３】
Ｘ入力にて受信するシンボルはフレームとして受信され、このフレームごとに所定数のシンボルが存在する。各フレームに対し、最初の半分のシンボルがデマルチプレクサ４００において処理されている間、第１のシンボルリピータ４０４の出力はＩシンボルとして第１のアンテナから送信され（すなわち、この出力はＹＩ１と記載される）、第２のシンボルリピータ４０６の出力はＱシンボルとして第１のアンテナから送信され（すなわち、この出力はＹＱ１と記載される）、第３のシンボルリピータ４０８の出力はIシンボルとして第２のアンテナから送信され（すなわち、この出力はＹＩ２と記載される）、第４のシンボルリピータ４１０はＱシンボルとして第２のアンテナから送信される（すなわち、この出力はＹＱ２と記載される）。残り半分のフレームの第１のシンボルを処理するに際し、デマルチプレクサ４００から出力シンボルを送信する動作は、後に示すようにスイッチングロジックにより切り替えられる。したがって、この残り半分のフレームの期間中、第１のシンボルリピータ４０４の出力は代わりにIシンボルとして第２のアンテナから送信され（すなわち、この出力はＹＩ２と記載される）、第２のシンボルリピータ４０６の出力は代わりにＱシンボルとして第２のアンテナから送信され（すなわち、この出力はＹＱ２と記載される）、第３のシンボルリピータ４０８の出力は代わりにIシンボルとして第１のアンテナから送信され（すなわち、この出力はＹＩ１と記載される）、第４のシンボルリピータ４１０の出力は代わりにＱシンボルとして第１のアンテナから送信される（すなわち、この出力はＹＱ１と記載される）。反転ビットチャネルインタリーバと共に使用されると、上述したように、デマルチプレクサ４００により２つのアンテナを使用したシステムにおいて、直交送信ダイバーシチは最大とされる。
【００３４】
図６に示す実施形態によれば、３つの搬送波、スペクトル拡散、デジタル無線通信システム用のデマルチプレクサ５００は、スイッチングロジック（図示せぬ）が付加されたデマルチプレクサ５０２を含んでいる。デマルチプレクサ５０２はＸ入力において、データシンボルを受信する。デマルチプレクサ５０２は受信したシンボルを６つの方法で逆多重化し、６つの出力シンボルストリームを生成する。第１の出力シンボルストリームはＸ入力にて受信した各６つのシンボルの最初のシンボルから構成される。第２の出力シンボルストリームはＸ入力にて受信した各６つのシンボルの２番目のシンボルから構成される。第３の出力シンボルストリームはＸ入力にて受信した各６つのシンボルの３番目のシンボルから構成される。第４の出力シンボルストリームはＸ入力にて受信した各６つのシンボルの４番目のシンボルから構成される。第５の出力シンボルストリームはＸ入力にて受信した各６つのシンボルの５番目のシンボルから構成される。第６の出力シンボルストリームはＸ入力にて受信した各６つのシンボルの６番目のシンボルから構成される。
【００３５】
Ｘ入力にて受信するシンボルはフレームとして受信され、このフレームごとに所定数のシンボルが存在する。各フレームに対し、４分割されたうちの１番目のシンボルがデマルチプレクサ５００により処理されている間、デマルチプレクサ５０２の第１の出力はＩシンボルとして第１の搬送周波数にて送信され（すなわち、この出力はＹＩ１と記載される）、デマルチプレクサ５０２の第２の出力はＱシンボルとして第１の搬送周波数にて送信され（すなわち、この出力はＹＱ１と記載される）、デマルチプレクサ５０２の第３の出力はＩシンボルとして第２の搬送周波数にて送信され（すなわち、この出力はＹＩ２と記載される）、デマルチプレクサ５０２の第４の出力はＱシンボルとして第２の搬送周波数にて送信され（すなわち、この出力はＹＱ２と記載される）、デマルチプレクサ５０２の第５の出力はＩシンボルとして第３の搬送周波数にて送信され（すなわち、この出力はＹＩ３と記載される）、デマルチプレクサ５０２の第６の出力はＱシンボルとして第３の搬送周波数にて送信される（すなわち、この出力はＹＱ３と記載される）。
【００３６】
４分割されたうちの２番目のフレームにおいて第１のシンボルを処理するに際し、デマルチプレクサ５００から出力されるシンボルを送信する動作は、後に示すようにスイッチングロジックにより切り替えられる。したがって、４分割されたうちの２番目のフレームの期間中、デマルチプレクサ５０２の第１の出力は第３の搬送周波数にて代わりにIシンボルとして送信され（すなわち、この出力はＹＩ３と記載される）、デマルチプレクサ５０２の第２の出力は第３の搬送周波数にて代わりにＱシンボルとして送信され（すなわち、この出力はＹＱ３と記載される）、デマルチプレクサ５０２の第３の出力は第１の搬送周波数にて代わりにIシンボルとして送信され（すなわち、この出力はＹＩ１と記載される）、デマルチプレクサ５０２の第４の出力は第１の搬送周波数にて代わりにＱシンボルとして送信され（すなわち、この出力はＹＱ１と記載される）、デマルチプレクサ５０２の第５の出力は第２の搬送周波数にて代わりにIシンボルとして送信され（すなわち、この出力はＹＩ２と記載される）、デマルチプレクサ５０２の第６の出力は第２の搬送周波数にて代わりにＱシンボルとして送信される（すなわち、この出力はＹＱ２と記載される）。
【００３７】
４分割されたうちの３番目のフレームにおいて第１のシンボルを処理するに際し、デマルチプレクサ５００から出力されるシンボルを送信する動作は、再びスイッチングロジックにより切り替えられる。したがって、４分割されたうちの３番目のフレームの期間中、デマルチプレクサ５０２の第１の出力は第２の搬送周波数にて代わりにIシンボルとして送信され（すなわち、この出力はＹＩ２と記載される）、デマルチプレクサ５０２の第２の出力は第２の搬送周波数にて代わりにＱシンボルとして送信され（すなわち、この出力はＹＱ２と記載される）、デマルチプレクサ５０２の第３の出力は第３の搬送周波数にて代わりにIシンボルとして送信され（すなわち、この出力はＹＩ３と記載される）、デマルチプレクサ５０２の第４の出力は第３の搬送周波数にて代わりにＱシンボルとして送信され（すなわち、この出力はＹＱ３と記載される）、デマルチプレクサ５０２の第５の出力は第１の搬送周波数にて代わりにIシンボルとして送信され（すなわち、この出力はＹＩ１と記載される）、デマルチプレクサ５０２の第６の出力は第１の搬送周波数にて代わりにＱシンボルとして送信される（すなわち、この出力はＹＱ１と記載される）。
【００３８】
４分割されたうちの４番目のフレームにおいて第１のシンボルを処理するに際し、デマルチプレクサ５００から出力されるシンボルを送信する動作は、再びスイッチングロジックにより切り替えられる。この場合、スイッチングロジックは、送信動作を４分割されたフレームの最初における状態に戻る。したがって、このフレームの期間中、デマルチプレクサ５０２の第１の出力は第１の搬送周波数にてＩシンボルとして送信され（すなわち、この出力はＹＩ１と記載される）、デマルチプレクサ５０２の第２の出力は第１の搬送周波数にてＱシンボルとして送信され（すなわち、この出力はＹＱ１と記載される）、デマルチプレクサ５０２の第３の出力は第２の搬送周波数にてＩシンボルとして送信され（すなわち、この出力はＹＩ２と記載される）、デマルチプレクサ５０２の第４の出力は第２の搬送周波数にてＱシンボルとして送信され（すなわち、この出力はＹＱ２と記載される）、デマルチプレクサ５０２の第５の出力は第３の搬送周波数にてＩシンボルとして送信され（すなわち、この出力はＹＩ３と記載される）、デマルチプレクサ５０２の第６の出力は第３の搬送周波数にてＱシンボルとして送信される（すなわち、この出力はＹＱ３と記載される）。
【００３９】
反転ビットチャネルインタリーバと共に使用されると、上述したように、デマルチプレクサ５００により３つの搬送波を使用したシステムにおいてダイバーシチ利得は最大とされる。当業者によれば、３つの搬送波を使用したシステムにおいて使用されるデマルチプレクサ５００が、フレームごとにシンボルの送信を4回切り替えるスイッチングロジックを有することは、単に実施を容易にするためであることと理解される。
【００４０】
図７Ａに示す実施形態によれば、デマルチプレクサ６００はシンボル（すなわち、ビットまたはデータ要素）分配モジュール及びスイッチングモジュール６０２を含んでいる。スイッチングモジュール６０２は破線により示されており、分配モジュールは、スイッチングモジュール６０２内以外の全ての素子を含む。デマルチプレクサ６００に入力される種々の信号は、図７Ｂのタイミングチャートに示されている。デマルチプレクサ６００は、送信ダイバーシチをもたらすために使用されるアンテナを２つ用いた通信システムにおいて、最大のダイバーシチ利得をもたらすように形成されている。デマルチプレクサ６００は、図に示すように、ディスクリート型ゲートロジックと共にハードウェア内に設けられる。他の実施形態として、デマルチプレクサは従来の記憶メディア（または、ファームウェア命令として）内にソフトウェアとして設け、従来のマイクロプロセッサにより駆動することもできる。
【００４１】
デマルチプレクサ６００において、スイッチングモジュール６０２は、クロック抑止パルス信号、及びパルス波形を受信するように形成されている。スイッチングモジュール６０２の出力は、フリップフロップ６０６に供給される。フリップフロップ６０６の出力は、図７Ｂに示すような抑止パルス矩形波である。抑止パルス矩形波は、制御入力として、アンドゲート６０８及びインタリーバ６１０に供給される。インタリーバ６１０の出力はアンドゲート６１２に供給される。アンドゲート６０８，６１２は、デマルチプレクサ６００に入力されるデータシンボルストリームも受信する。
【００４２】
アンドゲート６０８の出力はアンドゲート６１４及びアンドゲート６１６に供給される。２倍矩形波は制御入力としてアンドゲート６１４及びインタリーバ６１８に供給される。インタリーバ６１８の出力はアンドゲート６１６に供給される。アンドゲート６１２の出力はアンドゲート６２０及びアンドゲート６２２に供給される。２倍矩形波は制御入力としてアンドゲート６２０及びインタリーバ６２４に供給される。インタリーバ６２４の出力はアンドゲート６２２に供給される。
【００４３】
アンドゲート６１４の出力はバッファ６２６に供給される。アンドゲート６１６の出力はバッファ６２８に供給される。アンドゲート６２０の出力はバッファ６３０に供給される。アンドゲート６２２の出力はバッファ６３２に供給される。
【００４４】
２倍矩形波は、データ入力としてアンドゲート６３４，６３６に供給される。フリップフロップ６０６の出力（抑止パルス矩形波）は、制御入力としてアンドゲート６３４及びインタリーバ６３８に接続される。インタリーバ６３８の出力はアンドゲート６３６に供給される。アンドゲート６３４の出力はアンドゲート６４０，６４２に供給される。２倍矩形波は、制御入力としてアンドゲート６４０及びインタリーバ６４４に供給される。インタリーバ６４４の出力はアンドゲート６４２に供給される。アンドゲート６３６の出力はアンドゲート６４６，６４８に供給される。２倍矩形波は、制御入力としてアンドゲート６４６及びインタリーバ６５０に供給される。インタリーバ６５０の出力はアンドゲート６４８に供給される。
【００４５】
図７Ｂに示す、アンドゲート６４０の出力であるＩ１ロード波形はバッファ６２６に供給される。図７Ｂに示す、アンドゲート６４２の出力であるＱ１ロード波形はバッファ６２８に供給される。図７Ｂに示す、アンドゲート６４６の出力であるＩ２ロード波形はバッファ６３０に供給される。図７Ｂに示す、アンドゲート６４８の出力であるＱ２ロード波形はバッファ６３２に供給される。
【００４６】
図７Ｂに示す、バッファ６２６の出力であるＩ１信号はバッファ６５２に供給される。図７Ｂに示す、バッファ６２８の出力であるＱ１信号はバッファ６５４に供給される。図７Ｂに示す、バッファ６３０の出力であるＩ２信号はバッファ６５６に供給される。図７Ｂに示す、バッファ６３２の出力であるＱ２信号はバッファ６５８に供給される。各バッファ６５２，６５４，６５６，６５８は、入力としてロードパルス波形を受信する。図７Ｂに示すように、各バッファ６５２，６５４，６５６，６５８からの出力シンボルストリームＩ１出力，Ｑ１出力，Ｉ２出力，Ｑ２出力は、各バッファ６５２，６５４，６５６，６５８により時間的に同期されている。
【００４７】
図８Ａに示す実施形態によれば、デマルチプレクサ７００はシンボル（すなわち、ビットまたはデータ要素）分配モジュール及びスイッチングモジュール７０２を含んでいる。スイッチングモジュール７０２は破線により示されており、分配モジュールは、スイッチングモジュール７０２内以外の全ての素子を含む。デマルチプレクサ７００に入力される種々の信号は、図８Ｂのタイミングチャートに示されている。デマルチプレクサ７００は３つの搬送周波数帯を用いた通信システムにおいて、最大のダイバーシチ利得をもたらすように形成されている。デマルチプレクサ７００は、図に示すように、ディスクリート型ゲートロジックと共に、ハードウェア内に設けられる。他の実施形態として、デマルチプレクサは従来の記憶メディア（または、ファームウェア命令として）内にソフトウェアとして設け、従来のマイクロプロセッサにより駆動することもできる。
【００４８】
デマルチプレクサ７００において、スイッチングモジュール７０２は、クロック抑止パルス信号、及びパルス波形を受信するように形成されている。フレームの４分の１が処理された後ごとに、クロック抑止パルスが供給され、所望のルート切り替えがなされる。しかし、４分割されたうちの４番目のフレームが処理された（すなわち、連続するフレームの間で）後、クロック抑止パルス信号は供給されない。スイッチングモジュール７０２の出力はモジューロ−３カウンタ７０６に供給される。モジューロ−３カウンタ７０６の２つの出力はデコーダロジック７０８に供給される。デコーダロジック７０８は、ロジック及びフリップフロップと共に形成されても構わない。デコーダロジック７０８の第１の出力であるＣ0波形は、アンドゲート７１０に供給される。デコーダロジック７０８の第２の出力であるＣ1波形は、アンドゲート７１４に供給される。デコーダロジック７０８の第３の出力であるＣ2波形は、アンドゲート７１４に供給される。アンドゲート７１０，７１２，７１４はデマルチプレクサ７００に入力されたデータシンボルストリームも受信する。
【００４９】
アンドゲート７１０の出力はアンドゲート７１６及びアンドゲート７１８に供給される。２倍矩形波は、制御入力としてアンドゲート７１６及びインタリーバ７２０に供給される。インタリーバ７２０の出力は、アンドゲート７１８に供給される。アンドゲート７１２の出力はアンドゲート７２２及びアンドゲート７２４に供給される。２倍矩形波は、制御入力としてアンドゲート７２２及びインタリーバ７２６に供給される。インタリーバ７２６の出力はアンドゲート７２４に供給される。アンドゲート７１４の出力はアンドゲート７２８及びアンドゲート７３０に供給される。２倍矩形波は、制御入力としてアンドゲート７２８及びインタリーバ７３２に供給される。インタリーバ７３２の出力はアンドゲート７３０に供給される。
【００５０】
アンドゲート７１６の出力はバッファ７３４に供給される。アンドゲート７１８の出力はバッファ７３６に供給される。アンドゲート７２２の出力はバッファ７３８に供給される。アンドゲート７２４の出力はバッファ７４０に供給される。アンドゲート７２８の出力はバッファ７４２に供給される。アンドゲート７３０の出力はバッファ７４４に供給される。
【００５１】
２倍パルス波は、データ入力としてアンドゲート７４６，７４８，７５０に供給される。アンドゲート７４６は、また、入力としてＣ０波形を受信する。アンドゲート７４８は、また、入力信号としてＣ１波形を受信する。アンドゲート７５０は、また、入力としてＣ２波形を受信する。アンドゲート７４６の出力はアンドゲート７５２，７５４に供給される。２倍矩形波は、制御入力としてアンドゲート７５４及びインタリーバ７５６に供給される。インタリーバ７５６の出力はアンドゲート７５２に供給される。アンドゲート７４８の出力はアンドゲート７５８，７６０に供給される。２倍矩形波は、制御入力としてアンドゲート７６０及びインタリーバ７６２に供給される。インタリーバ７６２の出力はアンドゲート７５８に供給される。アンドゲート７５０の出力はアンドゲート７６４，７６６に供給される。２倍矩形波は、制御入力としてアンドゲート７６６及びインタリーバ７６８に供給される。インタリーバ７６８の出力はアンドゲート７６４に供給される。
【００５２】
アンドゲート７５２の出力であり、図８Ｂに示すＩ１ロード波形はバッファ７３４に供給される。アンドゲート７５４の出力であり、図８Ｂに示すＱ１ロード波形はバッファ７３６に供給される。アンドゲート７５８の出力であり、図８Ｂに示すＩ２ロード波形はバッファ７３８に供給される。アンドゲート７６０の出力であり、図８Ｂに示すＱ２ロード波形はバッファ７４０に供給される。アンドゲート７６４の出力であり、図８Ｂに示すＩ３ロード波形はバッファ７４２に供給される。アンドゲート７６６の出力であり、図８Ｂに示すＱ３ロード波形はバッファ７４４に供給される。
【００５３】
バッファ７３４の出力であり、図８Ｂに示すＩ１信号はバッファ７７０に供給される。バッファ７３６の出力であり、図８Ｂに示すＱ１信号はバッファ７７２に供給される。バッファ７３８の出力であり、図８Ｂに示すＩ２信号はバッファ７７４に供給される。バッファ７４０の出力であり、図８Ｂに示すＱ２信号はバッファ７７６に供給される。バッファ７４２の出力であり、図８Ｂに示すＩ３信号はバッファ７７８に供給される。バッファ７４４の出力であり、図８Ｂに示すＱ３信号はバッファ７８０に供給される。各バッファ７７０，７７２，７７４，７７６，７７８，７８０は入力としてロードパルス波形を受信する。図８Ｂに示すように、各バッファ７７０，７７２，７７４，７７６，７７８，７８０からの出力シンボルストリームＩ１出力，Ｑ１出力，Ｉ２出力，Ｑ２出力、Ｉ３出力、Ｑ３出力は、各バッファ７７０，７７２，７７４，７７６，７７８，７８０により時間的に同期されている。
【００５４】
図９に示す実施形態によれば、図１の送信部１０に使用可能な複素数Ｉ，Ｑスプレッダ８００は、複素数乗算器８０２（破線内に機能的に示されている）、第１，第２のベースバンドフィルタ８４０，８０６、第１，第２の乗算器８０８，８１０、及び加算器８１２を有している。複素数乗算器８０２は、４つの乗算器８１４，８１６，８１８，８２０、及び２つの加算器８２２，８２４を含んでいる。複素数乗算器８０２、乗算器８０８，８１０、及び加算器８１２は公知の従来デバイスである。
【００５５】
なお、以下の記載において、入力及び出力を示す参照文字は下付き文字を有し、下付き文字１は、複素数Ｉ，Ｑスプレッダ８００が第１の送信アンテナと共に使用されることを示す。複素数Ｉ，Ｑスプレッダ８００は、同様に、第２の送信アンテナと共に使用することも可能であり、または例えば複数の搬送波を用いたシステムのように、２つ以上のアンテナを用いた通信システムにおいて任意数の送信アンテナとともに使用することも可能である。
【００５６】
また、複素数Ｉ，Ｑスプレッダ８００は、後述するようなアップコンバート回路を有する。よって、複素数Ｉ，Ｑスプレッダ８００を図１の送信部１０内の複素数Ｉ，Ｑスプレッダ２０により代用する場合、図１の送信部１０内のアップコンバータ２４は必要不可欠である。
【００５７】
複素数Ｉ，Ｑスプレッダ８００からの出力信号ｓ１（ｔ）の複素数Ｉ，ＱのＩ要素に含まれることとなるデータチップは、複素数Ｉ，Ｑスプレッダ８００のＹＩ１入力において受信される。ＹＩ１入力は乗算器８１４及び８１６と接続されている。出力信号ｓ１（ｔ）のＱ要素に含まれることとなるデータチップは、複素数Ｉ，Ｑスプレッダ８００のＹＱ１入力において受信される。ＹＱ１入力は乗算器８１８及び８２０と接続されている。Ｉ要素用の擬似ランダム雑音（ＰＮ）符号は各乗算器８１４，８１６，８１８，８２０とＰＮＩ入力を介して接続されている。Ｑ要素用のＰＮ符号は、各乗算器８１４，８１６，８１８，８２０とＰＮＱ入力を介して接続されている。乗算器８１４からの出力結果は加算器８２２に供給される。乗算器８１６からの出力結果は加算器８２４に供給される。乗算器８１８からの出力結果は加算器８２２に供給される。乗算器８２０からの出力結果は加算器８２４に供給される。
【００５８】
加算器８２４は、受信した２つの入力を加算し、第２のベースバンドフィルタ８０６にＱチップ出力ストリームを供給するように形成されている。加算器８２２は、乗算器８１８からの受信入力から、乗算器８１４からの受信入力を減算し、第１のベースバンドフィルタ８０４にＩチップ出力ストリームを供給するように形成されている。加算器８２２，８２４は、所望によりいずれか一方を加算、もう一方を減算とするようにプログラムされた構成としてもよい。
【００５９】
従来のデジタルフィルタ８０４である第１のベースバンドフィルタ８０４は、受信したＩチップストリームを濾波し、ベースバンド周波数におけるＩチップストリームを乗算器８０８に供給する。同様に従来のデジタルフィルタ８０６である第２のベースバンドフィルタ８０６は、受信したＱチップストリームを濾波し、ベースバンド周波数におけるＱチップストリームを乗算器８１０に供給する。
【００６０】
乗算器８０８は第２の入力において、cos(2πfCt)信号を受信するように形成されている。この式において、ｆＣは例えば携帯電話では８００Ｍｈｚ、ＰＣＳシステムでは１９００ＭＨｚ等の搬送周波数、ｔは時間を意味する。乗算器８０８は２つの受信信号を乗算し、これによりＩチップを搬送周波数にアップコンバートし、また、加算器８１２に出力信号を供給する。乗算器８１０は、第２の入力においてsin(2πfCt)信号を受信するように形成されている。乗算器８１０は２つの受信信号を乗算し、これによりＱチップを搬送周波数にアップコンバートし、また、加算器８１２に出力信号を供給する。加算器８１２は２つの受信信号を加算し、複素数I，Ｑ出力信号ｓ１(ｔ)を生成する。この複素数Ｉ，Ｑ信号は、後にアナログＲＦ形式に変換され、送信される。
【００６１】
上述した実施形態は、反転ビットチャネルインタリーバと共に用いられるアンテナダイバーシチを向上する方法を示している。したがって、６行６４列の行列により構成された３８４ビットのインタリーバが上述したようなアンテナダイバーシチを最適にするよう形成されたデマルチプレクサと（直接的または間接的に）接続される場合、各フレームの最初の半分を送信している間、アンテナの割り当ては変更されない。しかし、第１９２番目のビットから第３８３番目のビット（第０番目のビットとされる）の間のように、フレームの残りの半分を送信している間、偶数ビットは第２のアンテナに送信され、奇数ビットは第１のアンテナに送信される。すなわち、第１９２番目のビットが送信される前にデータ経路は切り替えられ、第１のアンテナはスキップ、またはバイパスされ、また、代わりに第１９２番目のビットが送信される場合、第２のアンテナが選択される。または、第１９２番目のビットが送信される場合、第２のアンテナがリピートされ、選択される。よって、反転ビットチャネルインタリーバにおいて隣接する任意の２つのビットは、異なるアンテナから送信される。
【００６２】
他の実施形態例では、チャネルインタリーバは、デマルチプレクサに（直接的にまたは間接的に）接続される。このデマルチプレクサは、上述した２つのアンテナを用いたダイバーシチ用の実施形態におけるデマルチプレクサに最小限の変更を加えたものである。このデマルチプレクサは、３の倍数分の複数搬送波に合わせ最適化され、または３つのアンテナダイバーシチに合わせて最適化されている。例えば３つの周波数帯、または搬送波（または３つのアンテナ）がそれぞれ１，２及び３であるとすると、各ブロックデータまたはデータフレームは、３つのほぼ等しいブロックに分割される。最初のデータブロックの間、ビットは次に示す順番で送信される：１，２，３，１，２，３…である。データブロックの最後において、１つの搬送波（または１つのアンテナ）がスキップ、またはバイパスされ、次の搬送波（またはアンテナ）から開始される。例えば、データブロックの最後において、送信が周波数帯（またはアンテナ）１，２，３，１，２，３で送信され、周波数帯３で終了した場合、次のデータブロックの最初のビットは、周波数帯（またはアンテナ）１ではなく、周波数帯（またはアンテナ）２で送信される。その後、データブロックの送信は、３，１，２，３，１，２…の順で続けられる。または、１つの搬送波（または１つのアンテナ）がリピートされた場合、その搬送波（またはアンテナ）から送信が開始される。例えば、データブロックの最後において、周波数帯（またはアンテナ）１，２，３，１，２，３…で送信され、周波数帯３で終了した場合、次のデータブロックの最初のビットは、再び周波数帯（またはアンテナ）３で送信される。その後、データブロックの送信は、１，２，３，１，２，３…の順で続く。
【００６３】
上記実施形態により、単一チャネルのインタリーバを、最適なダイバーシチ利を得ながら種々の異なる送信システムに対して適用可能に設計できることは、当業者によれば理解される。デマルチプレクサのスイッチング方法に簡単な変更を加えることにより、任意数のアンテナまたは搬送波を用いて最適なダイバーシチ利得を実現できるよう、反転ビットチャネルインタリーバを使用することもできる。
【００６４】
さらに、当業者によれば、実施形態と共に用いるインタリーバは一般に以下に示すように記述されることも理解される。すなわち、アドレスＮＩＮにおいて、０からブロック長Ｎ−１まで順番にインタリーバ入力シンボルが書き込まれた場合、シンボルは以下に示すアドレスからインタリーバより読み出される。
【数２】
2011072001.tif 000004
【００６５】
上式において、[ＮＩＮ/Ｎ]は、ＮＩＮ/Ｎ以下の最大の自然数であり、Bit_Revm
（[ＮＩＮ/Ｎ]）は、ビット反転された[ＮＩＮ/Ｎ]のｍビット値を意味する。
【００６６】
このように、複数の搬送波及び搬送ダイバーシチの両方またはいずれか一方を用いた通信システムにおいて、チャネルインタリーバ用デマルチプレクサが開示される。ＩＳ−９５に沿って、デジタル無線、携帯電話システムの範疇において実施形態が開示されたが、ここに開示される本発明の特長を、衛星通信システム等を含め、いかなる通信システムの形態に同様に適用可能であることは、当業者によれば理解される。さらに、ここに公開される本発明を用いてデータ及び音声通信をチャネル符号化することが可能であることも、当業者によれば理解される。また、上記記載において述べたデータ、命令、指令、情報、信号、ビット、シンボル及びチップは、適宜電圧、電流、電磁波、磁場及び粒子、光学場（optical field）及び粒子、または、これらのいかなる組み合わせにより表現可能なことは、理解される。
【００６７】
さらに、ここに開示される実施形態と共に記載された種々の論理ブロック図及びアルゴリズムのステップは、デジタル信号プロセッサ（ＤＳＰ）、特定用途向け集積回路（ＡＳＩＣ）、ディスクリート型ゲートまたはトランジスタゲート、及び、レジスタ及びＦＩＦＯ、一連のファームウェア命令を実行する処理装置または、いかなる従来の書き込み可能なソフトウェアモジュール及び処理装置等のディスクリート方ハードウェア部品によっても実行、実現可能であることは、当業者によれば理解される。処理装置は、適宜マイクロプロセッサとすることもでき、他に、いかなる従来の処理装置、コントローラ、マイクロコントローラ、またはステートマシン（state machine）であっても構わない。ソフトウェアモジュールは、ＲＡＭメモリ、フラッシュメモリ、レジスタ、及び公知の他のいかなる形態の書き込み可能な記憶メディア内に設けることが可能である。
【００６８】
このように、本発明の好適な実施形態が開示される。本発明の意図及び範囲から離れることなく、開示された実施形態に種々の変更を施すことが可能であることは、当業者によれば明らかである。したがって、本発明は、請求の範囲に従った範囲に沿ったものを除き、限定されない。
【図１】
2011072001.tif 000005
【図２】
2011072001.tif 000006
【図３】
2011072001.tif 000007
【図４】
2011072001.tif 000008
【図５】
2011072001.tif 000009
【図６】
2011072001.tif 000010
【図７Ａ】
2011072001.tif 000011
【図７Ｂ】
2011072001.tif 000012
【図８Ａ】
2011072001.tif 000013
【図８Ｂ】
2011072001.tif 000014
【図９】
2011072001.tif 000015
【手続補正書】
【提出日】平成22年11月15日(2010.11.15)
【手続補正１】
【補正対象書類名】特許請求の範囲
【補正対象項目名】全文
【補正方法】変更
【補正の内容】
【特許請求の範囲】
【請求項１】
第１入力データ要素および後続入力データ要素を具備する複数の入力データ要素を受信するように構成され、第１出力および他の出力を具備する複数の出力を生成するように構成され、前記複数の入力データ要素を複数の出力へ連続して転送するように構成された分配モジュールであって、前記第１入力データ要素は前記第１出力へ転送される、分配モジュールと、
前記分配モジュールと接続され、前記分配モジュールを制御して、前記後続入力データ要素が前記他の出力のうちの前記第１入力データ要素が転送された先である前記第１入力と異なる少なくとも１つの出力へ転送されるように前記第１入力データ要素が前記第１出力へ分配された後に前記後続入力データ要素を前記第１出力へ転送することを１度リピートするスイッチングモジュールと、
を具備するチャネルインターリービング用デマルチプレクサ。
【請求項２】
前記第１入力データ要素が、前記複数の入力データ要素の半分と等しい所定数の複数の入力データ要素を具備する、
請求項１記載のデマルチプレクサ。
【請求項３】
前記第１入力データ要素が、前記複数の入力データ要素の３分の１と等しい所定数の複数の入力データ要素を具備する、
請求項１記載のデマルチプレクサ。
【請求項４】
前記第１入力データ要素が、前記複数の入力データ要素の４分の１と等しい所定数の複数の入力データ要素を具備する、
請求項１記載のデマルチプレクサ。
【請求項５】
第１入力データ要素および後続入力データ要素を具備する複数の入力データ要素を受信することと、
前記複数の入力データ要素を、第１出力および他の出力を具備する複数の出力へ連続して転送することであって、前記第１入力データ要素は前記第１出力へ転送される、転送することと、
前記第１入力データ要素が前記第１出力へ分配された後、前記後続入力データ要素を前記第１出力へ転送することを１度リピートすることと、
を具備し、前記後続入力データ要素は前記他の出力のうちの前記第１入力データ要素が転送された先である前記第１入力と異なる少なくとも１つの出力へ転送される、
データ要素を逆多重化する方法。
【請求項６】
前記転送するステップを実行する前に前記入力データ要素が複数のフレームへと分割され、各フレームは前記複数の入力データ要素を具備し、前記第１入力データ要素が前記フレーム内の複数の入力データ要素の個数の半分と等しい所定数の複数の入力データ要素を具備する、
請求項５の方法。
【請求項７】
前記転送するステップを実行する前に前記入力データ要素が複数のフレームへと分割され、各フレームは前記複数の入力データ要素を具備し、前記第１入力データ要素が前記フレーム内の複数の入力データ要素の個数の３分の１と等しい所定数の複数の入力データ要素を具備する、
請求項５の方法。
【請求項８】
前記転送するステップを実行する前に前記入力データ要素が複数のフレームへと分割され、各フレームが前記複数の入力データ要素を具備し、前記第１入力データ要素が前記フレーム内の複数の入力データ要素の個数の４分の１と等しい所定数の複数の入力データ要素を具備する、
請求項５の方法。
【請求項９】
前記複数の入力データ要素が、入力された反転ビットインタリーブされたデータ要素を具備する、
請求項５の方法。
【請求項１０】
前記複数の出力が相違する複数の搬送波周波数帯域を具備する、
請求項５の方法。
【請求項１１】
第１入力データ要素および後続入力データ要素を具備する複数の入力データ要素を受信するための手段と、
前記複数の入力データ要素を、第１出力および他の出力を具備する複数の出力へ連続して転送するための手段であって、前記第１入力データ要素は前記第１出力へ転送される、転送するための手段と、
前記第１入力データ要素が前記第１出力へ分配された後、前記後続入力データ要素を前記第１出力へ転送することを１度リピートするための手段と、
を具備し、前記後続入力データ要素が前記他の出力のうちの前記第１入力データ要素が転送された先である前記第１入力と異なる少なくとも１つの出力へ転送される、
デマルチプレクサ。
【請求項１２】
転送される前に前記入力データ要素が複数のフレームへと分割され、各フレームは前記複数の入力データ要素を具備し、前記第１入力データ要素が前記フレーム内の複数の入力データ要素の個数の半分と等しい所定数の複数の入力データ要素を具備する、
請求項１１のデマルチプレクサ。
【請求項１３】
転送される前に前記入力データ要素が複数のフレームへと分割され、各フレームは前記複数の入力データ要素を具備し、前記第１入力データ要素が前記フレーム内の複数の入力データ要素の個数の３分の１と等しい所定数の複数の入力データ要素を具備する、
請求項１１のデマルチプレクサ。
【請求項１４】
転送される前に前記入力データ要素が複数のフレームへと分割され、各フレームは前記複数の入力データ要素を具備し、前記第１入力データ要素が前記フレーム内の複数の入力データ要素の個数の４分の１と等しい所定数の複数の入力データ要素を具備する、
請求項１１のデマルチプレクサ。
【請求項１５】
前記複数の出力が相違する複数の搬送波周波数帯域を具備する、
請求項１１のデマルチプレクサ。
【外国語明細書】
2011072001000001.pdf